(57)【特許請求の範囲】
【請求項１】
第１の基板と、第２の基板と、前記第１の基板と前記第２の基板とからなる一対の基板の間に狭持されている液晶と、前記第１の基板の外側に設ける下偏光板と、第２の基板の外側に設ける上偏光板とを備え、前記第１の基板上に基板と平行方向の電界を形成するように一対の電極を配置し、前記一対の電極間の電位差に従った電界強度に応じて、液晶分子の長軸方向が基板面とほぼ平行を保ちつつ向きを変え、これによって表示を行うカラー液晶表示装置であって、第１の基板と下偏光板との間、または第２の基板と上偏光板との間の少なくとも一方に位相差板を備え、前記上偏光板の偏光軸と前記位相差板の延伸軸とが約４５度の角度をなすように配置し、電圧無印加状態から電圧印加時の範囲で、位相差値を変化させることによって、カラーフィルタを使用することなく、カラー表示を可能とした事を特徴とするカラー液晶表示装置。
【請求項２】
前記下偏光板の外側に反射板を備える事を特徴とする請求項１に記載のカラー液晶表示装置。
【請求項３】
第１の基板と第２の基板との隙間であるセルギャップｄと、液晶の複屈折性Δｎとの積であるΔｎｄが２００〜３００ｎｍであり、位相差板の位相差値Ｒが４５０〜５５０ｎｍで、上下偏光板の偏光軸の交差角度が約９０度である事を特徴とする請求項１または請求項２に記載のカラー液晶表示装置。
【請求項４】
第１の基板と第２の基板との隙間であるセルギャップｄと、液晶の複屈折性Δｎとの積であるΔｎｄが７００〜８００ｎｍであり、位相差板の複屈折性である位相差値Ｒが１５０〜２５０ｎｍで、上下偏光板の偏光軸の交差角度が約９０度である事を特徴とする請求項１または請求項２に記載のカラー液晶表示装置。
【請求項５】
第１の基板と第２の基板との隙間であるセルギャップｄと、液晶の複屈折性Δｎとの積であるΔｎｄが約３５０〜４５０ｎｍであり、位相差板の位相差値Ｒが約３５０〜４５０ｎｍで、上下偏光板の偏光軸の交差角度が約０度である事を特徴とする請求項１または請求項２に記載のカラー液晶表示装置。
【請求項６】
位相差板の延伸方向の屈折率をｎｘ、延伸方向に対して９０度方向の屈折率をｎｙ 、位相差板の厚み方向の屈折率をｎｚと定義し、ｎｘ＞ｎｚ＞ｎｙの関係を満たす位相差板を用いる事を特徴とする請求項１から請求項５のうちのいずれか１項に
記載のカラー液晶表示装置。
【発明の詳細な説明】
【０００１】
【発明の属する技術分野】
本発明は複屈折性を利用し、カラ−フィルタを用いずに色表示を行う液晶表示装置に関し、特に、広視野角を特徴とする櫛歯電極を用いて横電界で動作する液晶表示装置に関する。
【０００２】
【従来の技術】
従来の液晶表示装置においては、液晶を駆動する電極を第１の基板と第２の基板上にそれぞれ形成し、基板に垂直な方向の電界を液晶に印加する、ツイステッドネマチック（ＴＮ）モードあるいは、スーパーツイステッドネマチック（ＳＴＮ）モードにより表示をおこなっている。
【０００３】
また、液晶の複屈折性を利用し、カラーフィルタを用いずに色表示を行う複屈折方式のカラー液晶表示装置としては、いくつかの方式が提案されている。
【０００４】
第１の従来例として、第１の基板と第２の基板の間に液晶分子を平行に配向させ、第１の基板と第２の基板の外側に一対の偏光板を具備し、偏光板の偏光軸を液晶分子の長軸に対して約４５度に配置して、液晶に印加する電圧により、液晶分子の立ち方を変える事で、液晶セルの複屈折性を変化させ、色表示を行う複屈折方式カラー液晶表示装置がある。
【０００５】
しかし、この液晶表示装置では、第１の基板と第２の基板間に電圧を印加して色表示をしている状態では、液晶分子が斜めに傾いており、液晶表示装置を見る角度により液晶セルの複屈折性が大きく変動するために、見る角度により色が変動し、実用化に至らなかった。
【０００６】
第２の従来例として、第１の基板と第２の基板の液晶分子を１８０〜２７０度ねじって配向させたＳＴＮ液晶セルを用い、第１の基板と第２の基板の外側に一対の偏光板を具備し、かつ、少なくとも１つの位相差板を偏光板と基板間に備える複屈折方式カラー液晶表示装置がある。
【０００７】
この液晶表示装置では、液晶分子が大きくねじれているので、液晶セルに電圧を印加し、液晶分子が斜めに立った状態でも、視角による複屈折性の変化が比較的少なく、狭い視角範囲であれば色変化が起きず、また、カラーフィルタを用いず１画素で複数のカラー表示が可能なので、最近、小型の反射型カラー液晶表示装置に実用化されている。
【０００８】
【発明が解決しようとする課題】
しかしながら、上記のＳＴＮ液晶セルを用いたカラー液晶表示装置でも、基本的には、液晶セルを駆動する電極を第１の基板と第２の基板の表面に形成し、基板に垂直な方向の電界を液晶分子に印加することで動作させている。
【０００９】
そのため、液晶分子は斜めに立ち上がり、見る角度によって表示色や背景色が変化する、いわゆる表示品質の視野角依存性が存在し、中〜大型のカラー液晶表示装置を実現するには至っていない。
【００１０】
この視野角依存性を改善する方法としては、第１の基板上に、一対の櫛歯型電極を設け、前記櫛歯型電極間に電圧を印加し、液晶分子の方向を制御する手段がある。この手段を図１０を用いて説明する。図１０は従来例における櫛歯型電極を用いる液晶表示装置の画素領域の平面形状を示す模式拡大図である。図１０に示すように第１の基板上に第１の櫛歯型電極４３と第２の櫛歯型電極４４を一定の間隔を設けて配置する。
【００１１】
第１の櫛歯型電極４３と第２の櫛歯型電極４４との間に印加される電圧の大きさの変化によって、液晶分子４１の向きが変化する。誘電異方性が負の液晶材料を用いる場合、所定の電圧より小さい電圧が印可されているときは、液晶分子４１の状態を保持しているが、所定の電圧より大きい電圧を印可すると図１０に示す矢印の方向に回転し、破線で示す液晶分子４２の位置で保持される。液晶分子４１と液晶分子４２は第１の基板とほとんどプレチルトを持たずに第１の基板にほぼ平行な動きをする。
【００１２】
液晶セルの外側に一対の偏光板を備え、偏光板の偏光軸が直交し、かつ、どちらかの偏光板の偏光軸が液晶分子４１と平行になるように配置する。表示は、第１の櫛歯型電極４３と第２の櫛歯型電極４４に印加する電圧を変化させて液晶分子の向きを変えることにより行う。つまり、液晶分子４１の位置では、入射偏光はそのまま直進し、出射側の偏光板でさえぎられて黒表示となる。一方、波線で示す液晶分子４２の位置になると、入射偏光は、液晶分子４２に対して約４５度の角度で入るので位相差を生じ、この位相差が可視光の波長の１／２になるように、液晶の複屈折Δｎとセルギャップｄを設定することで、白表示となる。
【００１３】
液晶分子４２は、第１の基板にほぼ平行に動き、従来の液晶表示装置のように斜めに立ち上がらないので、視角特性の良好な液晶表示装置が得られる。
【００１４】
しかし、この櫛歯電極を用いる液晶表示装置は、第１の基板上に、全ての電極を設けるため、開口率が低くなる欠点がある。従って、カラーフィルタを備え、バックライトで照明する透過型の中〜大型カラ−表示装置の場合は、バックライトの輝度をアップすることで、実用化が可能であるが、バックライトを備えず、外光のみで表示する反射型カラ−液晶表示装置は実現できなかった。
【００１５】
本発明の目的は、櫛歯電極を用いる表示装置に、位相差板を組み合わせることによって、視角特性が良好で、明るい複屈折方式のカラ−液晶表示装置を実現し、あわせて中〜大型の反射型カラー液晶表示装置を提供することである。
【００１６】
【課題を解決するための手段】
上記目的を達成するために、本発明のうち請求項１記載の発明における液晶表示装置は、第１の基板と、第２の基板と、前記第１の基板と前記第２の基板とからなる一対の基板の間に狭持されている液晶と、前記第１の基板の外側に設ける下偏光板と、第２の基板の外側に設ける上偏光板とを備え、前記第１の基板上に基板と平行方向の電界を形成するように一対の電極を配置し、前記一対の電極間の電位差に従った電界強度に応じて液晶分子の長軸方向が基板面とほぼ平行を保ちつつ向きを変え、これによって表示を行う液晶表示装置であって、
第１の基板と下偏光板との間、あるいは第２の基板と上偏光板との間の少なくとも一方に位相差板を備える事を特徴とする。
【００１７】
本発明のうち請求項２記載の発明における反射型液晶表示装置は、第１の基板と、第２の基板と、前記第１の基板と前記第２の基板とからなる一対の基板の間に狭持されている液晶と、前記第１の基板の外側に設ける下偏光板と、第２の基板の外側に設ける上偏光板と、前記下偏光板の外側に設ける反射板とを備え、前記第１の基板上に基板と平行方向の電界を形成するように一対の電極を配置し、前記一対の電極間の電位差に従った電界強度に応じて液晶分子の長軸方向が基板面とほぼ平行を保ちつつ向きを変え、これによって表示を行う液晶表示装置であって、
第１の基板と下偏光板との間、あるいは第２の基板と上偏光板との間の少なくとも一方に位相差板を備える事を特徴とする。
【００１８】
本発明のうち請求項３記載の発明における液晶表示装置は、請求項１、あるいは請求項２記載の構成を含み、第１の基板と第２の基板との隙間であるセルギャップｄと、液晶の複屈折性Δｎとの積であるΔｎｄが２００〜３００ｎｍであり、位相差板の位相差値Ｒが４５０〜５５０ｎｍで、上下偏光板の偏光軸の交差角度が約９０度である事を特徴とする。
【００１９】
本発明のうち請求項４記載の発明における液晶表示装置は、請求項１、あるいは請求項２記載の構成を含み、第１の基板と第２の基板との隙間であるセルギャップｄと、液晶の複屈折性Δｎとの積であるΔｎｄが７００〜８００ｎｍであり、位相差板の位相差値Ｒが１５０〜２５０ｎｍで、上下偏光板の偏光軸の交差角度が約９０度である事を特徴とする。
【００２０】
本発明のうち請求項５記載の発明における液晶表示装置は、請求項１、あるいは請求項２記載の構成を含み、第１の基板と第２の基板との隙間であるセルギャップｄと、液晶の複屈折性Δｎとの積であるΔｎｄが約３５０〜４５０ｎｍであり、位相差板の位相差値Ｒが約３５０〜４５０ｎｍで、上下偏光板の偏光軸の交差角度が約０度である事を特徴とする。
【００２１】
本発明のうち請求項６記載の発明における液晶表示装置は、請求項１、２、３、４あるいは請求項５記載の構成を含み、位相差板の延伸方向の屈折率をｎｘ、延伸方向に対して９０度方向の屈折率をｎｙ 、位相差板の厚み方向の屈折率をｎｚと定義し、
ｎｘ＞ｎｚ＞ｎｙの関係を満たす位相差板を用いることを特徴とする。
【００２２】
【発明の実施の形態】
（第１の実施の形態）
以下図面を用いて本発明の実施の形態における液晶表示装置の構造を説明する。まずはじめに、本発明の第１の実施の形態における液晶表示装置の構成を図１と図２とに基づいて説明する。
【００２３】
図２は、本発明の第１の実施の形態における液晶表示装置の１画素を示す平面図である。図１は図２のＡ−Ａ線における断面図である。以下、図１と図２とを交互に用いて本発明の第１の実施の形態の構成を説明する。
【００２４】
第１の基板１上にアルミ（Ａｌ）膜からなる走査電極３と、Ａｌからなる対向電極６を形成し、前記走査電極３と前記対向電極６との表面はＡｌの陽極酸化膜である酸化アルミ膜（図示せず）で被服されている。走査電極３を覆うようにゲート窒化シリコン（ＳｉＮ）膜７と非晶質シリコン（ａ−Ｓｉ）膜４を形成し、このａ−Ｓｉ膜４表面に不純物を打ち込み、ｎ型ａ−Ｓｉ膜を形成後、Ａｌからなる画素電極５と信号電極２を形成することで、薄膜トランジスタ構造となる。
【００２５】
対向電極６の構造としては、図２に示すようにＴ字形をしており、走査電極３と平行な接続配線部と、画素電極５と平行な対向画素部とからなる。走査電極３と、対向電極６の接続配線部は、絶縁膜であるゲートＳｉＮ膜７を介して信号電極２と交差しており、第１の基板１上に薄膜トランジスタと全ての金属電極群が形成される。
【００２６】
走査電極３に、選択信号が印加され、薄膜トランジスタがオンになると、信号電極２と画素電極５の接続抵抗が下がり、画素電極５と対向電極６間で電界がかかり、液晶分子１５は第一の基板とほぼ平行なまま回転する。その後、走査電極３に非選択信号が印加されると、薄膜トランジスタはオフになり、信号電極２と画素電極５の接続抵抗が非常に大きくなり、画素電極５に印加された電圧を保持する。
【００２７】
本実施の形態では、第１の基板上の金属配線はＡｌを採用したが、電気抵抗の低い金属性のものであれば特に材料の制約はなく、タンタルやクロムや銅でもかまわない。
【００２８】
薄膜トランジスタを保護するために、ＳｉＮ膜からなる保護膜８を形成後、液晶分子を配向させるポリイミド膜からなる配向膜１０を印刷法で形成する。
【００２９】
第２の基板９にも、ポリイミド膜からなる配向膜１０を印刷する。第１の基板１と第２の基板９を、画素電極５とほぼ平行になるようにラビング処理した後、基板間が所定の厚みになるようにスペーサー（図示せず）を散布し、エポキシ系の接着剤（図示せず）で両基板を接着する。液晶１５を注入し、封口することで液晶セルとなる。
【００３０】
第１の基板１の外側には、下偏光板１１と反射板１４を接着し、第２の基板９の外側には、位相差板１３と上偏光板１２を接着する。この接着剤については、図１に図示しておらず、接着剤に相当する部分は隙間をあけて図示している。本実施の形態では、下偏光板１１と反射板１４は、日東電工製の反射板一体型偏光板Ｆ３２０５Ｇを用い、上偏光板１２には、同じく日東電工製のＥＧ１２２５ＤＵを用いた。
【００３１】
位相差板１３には、日東電工製で位相差値Ｒが５００ｎｍのＮＲＺ位相差板を用いた。この位相差板は、延伸方向の屈折率をｎｘ、延伸方向と９０度方向の屈折率をｎｙ、厚さ方向の屈折率をｎｚとしたとき、ｎｘ＞ｎｚ＞ｎｙとなっている。Ｎｚ＝（ｎｘ−ｎｚ）／（ｎｘ−ｎｙ）で定義すると、Ｎｚ＝０．４であった。
【００３２】
図９に、位相差板を延伸方向に傾けた時の位相差値Ｒの変化特性を示す。通常の位相差板の特性を曲線３２に示す。通常の位相差板は、ｎｘ＞ｎｙ＝ｎｚであり、Ｎｚ＝１となり、延伸方向に傾けると位相差値は小さくなる。Ｎｚ＝０．５の位相差板の特性を曲線３１に、Ｎｚ＝０の特性を曲線３３に示す。Ｎｚ＝０．５では、傾けても全く位相差値は変化せず、色変化が生じないことがわかる。
【００３３】
位相差板１３としては、通常のＮｚ＝１の位相差板でも使用可能であるが、左右方向に傾けて見た場合の色変化が発生する。さらに視角特性を改善するために、Ｎｚ＝０．５に近い、前記のＮＲＺ位相差板を採用した。このＮＲＺ位相差板の採用により、前後左右方向から見ても色変化のほとんど発生しない良好な視角特性の液晶表示装置を実現できる。
【００３４】
まず、本発明の液晶表示装置の発色原理について説明する。上下の偏光板の偏光軸を９０度に交差させ、偏光板間に位相差値Ｒの位相差板を、延伸軸が４５度になるように配置した時の透過光強度Ｉｏは、入射光強度Ｉｉと波長λに対して
Ｉｏ＝Ｉｉ／２×ｓｉｎ2 （πＲ／λ）
となる。従って、Ｒ＝λ×（１／２＋０，１，２・・・ｎ）の時、Ｉｏが最も大きくなる。そして、波長λ毎にＩｏが変化するので色が発生し、位相差値Ｒを変えることで、いろいろな色表示が可能となる。このように、位相差値Ｒや液晶の複屈折性であるΔｎｄを可変して色彩を変えるので複屈折型と呼ぶ。
また、上下の偏光板の偏光軸を平行に配置した時は、
Ｉｏ＝Ｉｉ／２×ｓｉｎ2 （πＲ／λ＋π／２）
となり、色変化としては逆になるが、同様に、いろいろな色表示が可能となる。
【００３５】
次に、本発明の第１の実施の形態の配置関係を説明する。図３は、本発明の第１の実施の形態における配置関係を説明するための平面図である。
【００３６】
液晶材料としては、複屈折異方性Δｎが０．１で、誘電異方性Δεが正のＰ型材料を用い、第１の基板１と第２の基板９の隙間であるセルギャップｄは２．５μｍである。従って、液晶セルの複屈折性を表すΔｎｄ＝２５０ｎｍである。
電圧無印加状態での液晶分子１５の長軸方向は、ほぼ画素電極５と平行に配向しており、画素電極５と対向電極６の間に電圧を印加すると、電圧に従い矢印１７の方向に回転し、点線で示した液晶分子１６に至る。ここで、電圧印加時の液晶分子の逆回りを避けるために、電圧無印加状態の液晶分子１５の長軸方向は、数度程右回りに設定してある。
【００３７】
下偏光板１１の偏光軸は、液晶分子１５の長軸方向と約４５度の角度をなすように配置され、上偏光板１２の偏光軸は、下偏光板１１の偏光軸と約９０度の角度をなすように配置する。位相差板１３の延伸軸は、液晶分子１５の長軸方向と約９０度の角度をなすように配置する。
【００３８】
本発明の第１の実施の形態における、カラー液晶表示装置の色表示特性を図４に示す。図４は、ＣＩＥによる色度図で、右下が赤、左下が青、中央上が緑、中央の十字が白を示す。電圧無印加では、液晶分子１５の長軸方向は、位相差板１３の延伸軸に対して９０度方向にあるので、位相差板の位相差値Ｒ＝５００ｎｍから液晶セルのΔｎｄ＝２５０ｎｍが減算され、液晶表示装置の位相差値ｒ＝２５０ｎｍとなり、ほぼ可視光の波長の１／２となるので、○印２０の白表示となる。
【００３９】
液晶に電圧を印加すると、液晶分子１５は矢印１７方向に回転し、ちょうど４５度回転した状態では、上偏光板１２と平行になり、液晶分子による位相差は発生せず、液晶表示装置の位相差値ｒは、位相差板１３の位相差値Ｒのみで、ｒ＝５００ｎｍとなり、○印２１で示すピンク表示となる。
【００４０】
さらに、液晶の印加電圧を大きくすると、液晶は点線１６で示す位置まで移動し、位相差板の延伸方向と同一方向になるので、位相差板の位相差値Ｒ＝５００ｎｍと液晶のΔｎｄ＝２５０ｎｍが加算され、液晶表示装置の位相差値ｒ＝７５０ｎｍとなり○印２２で示す緑表示となる。従って、印加電圧の変化により、白→ピンク→緑のカラ−表示が可能である。
【００４１】
液晶分子１５は、第１の基板１とほぼ平行なまま回転するので、視角による位相差値の変化が少ないので、視角による色変化が少ない。さらに、本実施の形態では、Ｎｚ＝０．４の位相差板１３を採用したので、位相差板１３の視角特性も良好であるため、非常に広い範囲で色変化の少ない、視角特性の良好な複屈折型カラー液晶表示装置を実現できる。
【００４２】
本発明の第１の実施の形態では、画素数は６４０×４８０で、画素ピッチは横方向（信号電極２の間隔）は２００μｍ、縦方向（走査電極３の間隔）は２００μｍの６．３型の反射型カラー液晶表示装置を作成する。対向電極６と画素電極５の線幅は１０μｍで、信号電極２と走査電極３の線幅は２０μｍで、信号電極２と画素電極５との間隔は１０μｍ、信号電極２と対向電極６との間隔は１０μｍとすることで、表示部となる画素電極５と対向電極６との間隔は１４０μｍとなり、約５５％と高い開口率を確保できる。
【００４３】
以上に示したような構成を採用することによって、明るく、視角特性の良好な複屈折方式カラー液晶表示装置を実現でき、中〜大型の反射型カラー液晶表示装置を提供できる。
【００４４】
なお、本実施の形態では、液晶セルのΔｎｄ＝２５０ｎｍ、位相差板１３の位相差値Ｒ＝５００ｎｍに設定したが、第１の実施の形態において、ΔｎｄやＲをずらした場合の色変化を示す色度図を図１１に示す。位相差板１３のＲ＝５００に固定し、液晶セルのΔｎｄを２５０ｎｍより増加させた場合の白の色変化を矢印５０に示す。液晶表示装置としての位相差値ｒは、位相差板のＲと液晶セルのΔｎｄの差であるため、液晶セルのΔｎｄの増加と共に液晶表示装置の位相差値ｒは減少するので、徐々に青っぽくなり、かつ、暗い表示になる。逆に、液晶セルのΔｎｄが減少すると、液晶表示装置の位相差値ｒは増加するので、矢印５１に示すように、黄色くなってしまう。目視観察より、液晶セルのΔｎｄは、△印５６に示す３００ｎｍから、□印５７に示す２００ｎｍが適切である。
【００４５】
一方、液晶セルのΔｎｄ＝２５０ｎｍに固定し、位相差板１３のＲを増加させた場合の緑の色変化を矢印５２に示す。液晶表示装置の位相差値ｒは、位相差板の位相差値Ｒと液晶セルのΔｎｄの和であるため、Ｒの増加と共にｒも増加し、黄色くなる。逆に、Ｒが減少するとｒも減少するので、矢印５３に示す青表示となる。つまり、ｒ＝Δｎｄ＋Ｒ＝７５０ｎｍ前後の場合が最適であり、液晶セルのΔｎｄ＝２００〜３００ｎｍであるので、位相差板の位相差値Ｒ＝４５０〜５５０ｎｍの範囲で使用可能である。
【００４６】
一方、○印２１に示すピンク表示は、液晶セルのΔｎｄに無関係で、位相差板の位相差値Ｒのみで決まる。Ｒを増加させると、矢印５４に示す様に青表示となり、Ｒを減少させると矢印５５に示す様に黄色表示と大きく変化する。従って、Ｒ＝４５０ｎｍの場合は□印５９の色合いで、白→黄→緑表示となり、Ｒ＝５５０ｎｍの場合は△印５８の色合いで、白→青→緑表示の液晶表示装置となる。
【００４７】
また、本実施の形態では、第１の基板１を下側として、反射板１４を下偏光板１１の外側に設けたが、第２の基板９を下側として、上偏光板１２の外側に反射板１４を設ける事も可能である。また、反射板１４を取り除き、バックライトを備えることで、透過型の液晶表示装置とすることも、もちろん可能である。
【００４８】
また、本実施の形態では、位相差板１３を、第２の基板と上偏光板１２との間に設けたが、第１の基板１と下偏光板１１の間に設けることもできる。また、複数の位相差板を配置しても同様な効果が得られることは明白である。
【００４９】
また、本実施の形態では、第２の基板９には、配向膜１０しか設けなかったが、薄膜トランジスタを光から保護するために、非晶質シリコン４の上部に、クロム等の金属や、黒色顔料インクでブラックマトリクスを設ける事も可能である。
【００５０】
また、本実施の形態で使用する液晶１５は、誘電異方性Δεが正の材料を採用したが、誘電異方性Δεが負の材料も使用可能である。その場合、電圧無印加での液晶分子の位置が点線１６になるように、走査電極３とほぼ平行にラビング処理を行う。画素電極５と対向電極６に電圧を印加すると、画素電極と平行になる方向に液晶分子は回転する。
【００５１】
また、本実施の形態では、各画素に、薄膜トランジスタを設けたアクティブマトリクス駆動の場合について説明したが、薄膜トランジスタの替わりに、薄膜ダイオ−ドを使用することや、画素電極５を直接外部に引き出しスタティック駆動することも可能である。
【００５２】
（第２の実施の形態）
次に、本発明の第２の実施の形態における液晶表示装置の構成は、液晶分子１５と位相差板１３の配置関係と、液晶セルのΔｎｄと位相差板の位相差値Ｒが異なる事を除けば、図１と図２に示した第１の実施の形態と同一構成である。
【００５３】
図５は、本発明の第２の実施の形態の配置関係を説明するための平面図である。以下、図１と図２と図５を用いて第２の実施の形態の構成を説明する。
【００５４】
第１の基板１の外側には、下偏光板１１と反射板１４を接着し、第２の基板９の外側には、位相差板１３と上偏光板１２を配置する。本実施の形態では、下偏光板１１と反射板１４は、日東電工製の反射板一体型偏光板Ｆ３２０５Ｇを用い、上偏光板１２には、同じく日東電工製のＥＧ１２２５ＤＵを用いた。
【００５５】
位相差板１３には、日東電工製で位相差値Ｒ＝２００ｎｍのＮＲＺ位相差板を用いた。この位相差板は、延伸方向の屈折率をｎｘ、延伸方向と９０度方向の屈折率をｎｙ、厚さ方向の屈折率をｎｚとしたとき、ｎｘ＞ｎｚ＞ｎｙとなっている。Ｎｚ＝（ｎｘ−ｎｚ）／（ｎｘ−ｎｙ）で定義すると、Ｎｚ＝０．４であった。
【００５６】
位相差板１３としては、通常のｎｘ＞ｎｙ＝ｎｚであり、Ｎｚ＝１の位相差板でも使用可能であるが、左右方向に傾けて見た場合の色変化が発生する。さらに視角特性を改善するために、Ｎｚ＝０．５に近い、前記のＮＲＺ位相差板を採用した。このＮＲＺ位相差板の採用により、前後左右方向から見ても色変化のほとんど発生しない良好な視角特性の液晶表示装置を実現できる。
【００５７】
液晶材料としては、複屈折異方性Δｎが０．１で、誘電異方性Δεが正のＰ型材料を用い、第１の基板１と第２の基板９の隙間であるセルギャップｄは７．５μｍである。従って、液晶セルの複屈折性を示すΔｎｄ＝７５０ｎｍである。
電圧無印加状態での液晶分子１５の長軸方向は、ほぼ画素電極５と平行に配向しており、画素電極５と対向電極６の間に電圧を印加すると、電圧に従い矢印１７の方向に回転し、点線で示した液晶分子１６に至る。ここで、電圧印加時の逆回りを避けるために、電圧無印加状態の液晶分子１５の長軸方向は、数度程右回りに設定してある。
【００５８】
下偏光板１１の偏光軸は、液晶分子１５の長軸方向と約４５度の角度をなすように配置され、上偏光板１２の偏光軸は、下偏光板１１の偏光軸と約９０度の角度をなすように配置する。位相差板１３の延伸軸は、液晶分子１５の長軸方向と約０度の角度をなすように配置する。
【００５９】
本発明の第２の実施の形態における、液晶表示装置の色表示特性を図６に示す。図６は、ＣＩＥによる色度図である。電圧無印加では、液晶分子１５の長軸方向は、位相差板１３にと平行方向にあるので、位相差板の位相差値Ｒ＝７５０ｎｍと液晶のΔｎｄ＝２００ｎｍが加算され、液晶表示装置の位相差値ｒ＝９５０ｎｍとなるので、○印２３のオレンジ表示となる。
【００６０】
液晶セルに電圧を印加すると、液晶分子１５は矢印１７方向に回転し、ちょうど４５度回転した状態では、上偏光板１２の偏光軸と平行になり、液晶分子による位相差は発生せず、液晶表示装置の位相差値ｒは、位相差板１３の位相差値Ｒのみで、ｒ＝２００ｎｍとなり、ほぼ可視光波長の１／２となるので、○印２４で示す白表示となる。
【００６１】
さらに、液晶の印加電圧を大きくすると、液晶分子は点線１６で示す位置まで回転し、位相差板１３の延伸方向と９０度の角度となるので、位相差板の位相差値Ｒ＝２００ｎｍと液晶のΔｎｄ＝７５０ｎｍが減算され、液晶表示装置の位相差値ｒ＝５５０ｎｍとなり○印２５で示す青表示となる。従って、印加電圧の変化により、オレンジ→白→青のカラ−表示が可能である。
【００６２】
液晶分子１５は、第１の基板１とほぼ平行なまま回転するので、視角による位相差値の変化が少ないので、視角による色変化が少ない。さらに、本実施の形態では、Ｎｚ＝０．４の位相差板１３を採用したので、位相差板１３の視角特性も良好であるため、非常に広い範囲で色変化の少ない、視角特性の良好な複屈折型カラー液晶表示装置を実現できる。
【００６３】
本発明の第２の実施の形態でも、画素数は６４０×４８０で、画素ピッチは横方向（信号電極２の間隔）は２００μｍ、縦方向（走査電極３の間隔）は２００μｍの６．３型の反射型カラー液晶表示装置を作成する。対向電極６と画素電極５の線幅は１０μｍで、信号電極２と走査電極３の線幅は２０μｍで、信号電極２と画素電極５との間隔は１０μｍ、信号電極２と対向電極６との間隔は１０μｍとすることで、表示部となる画素電極５と対向電極６との間隔は１４０μｍとなり、約５５％と高い開口率を確保できる。
【００６４】
以上に示したような構成を採用することによって、明るく、視角特性の良好な複屈折方式カラー液晶表示装置を実現でき、中〜大型の反射型カラー表示装置を提供できる。
【００６５】
なお、本実施の形態では、液晶セルのΔｎｄ＝７５０ｎｍ、位相差板１３の位相差値Ｒ＝２００ｎｍに設定したが、第２の実施の形態において、ΔｎｄやＲをずらした場合の色変化を示す色度図を図１２に示す。位相差板１３の位相差値Ｒ＝２００ｎｍに固定し、液晶セルのΔｎｄを減少させた場合、○印２３に示すｒ＝９５０ｎｍのオレンジは、矢印６２に示すように変化する。つまり、液晶表示装置の位相差値ｒは、位相差板の位相差値Ｒと液晶セルのΔｎｄの和であるため、Δｎｄの減少と共にｒも減少し黄色くなる。逆に、Δｎｄが増加するとｒも増加するので、矢印６３に示す紫となり、ｒ＝１０５０ｎｍでは□印６９に示す赤紫となる。つまり、ｒ＝Δｎｄ＋Ｒ＝９５０ｎｍ〜１０５０ｎｍの範囲で使用可能である。
【００６６】
一方、○印２５に示す青表示は、液晶セルのΔｎｄと位相差板１３の位相差値Ｒの差で、ｒ＝５５０ｎｍである。Δｎｄを増加させると、液晶表示装置の位相差値ｒも増加するので、矢印６４に示すように水色表示となり、ｒ＝６５０ｎｍでは△印６８に示す水色となる。逆に、Δｎｄを減少させるとｒが減少するので矢印６５に示すように紫表示と変化する。つまり、ｒ＝Δｎｄ−Ｒ＝５５０〜６５０ｎｍの範囲で使用可能である。従って、位相差板の位相差値Ｒとしては、オレンジ表示のｒ＝９５０〜１０５０ｎｍと青表示のｒ＝５５０〜６５０ｎｍの差の１／２が好ましく、Ｒ＝１５０〜２５０ｎｍとなり、従って、Δｎｄ＝７００〜８００ｎｍの範囲で使用可能である。
【００６７】
○印２４に示す白表示は、液晶セルのΔｎｄに依存せず、位相差板１３の位相差値Ｒのみできまる。従って、Ｒを小さくすると矢印６０に示すように、徐々に青っぽくなり、かつ暗い表示になる。逆にＲを増加すると矢印６１に示すように黄色くなってしまう。目視観察より、位相差板１３の位相差値Ｒは、１５０ｎｍ〜３００ｎｍが使用可能であるが、前記の理由より、位相差板１３の位相差値Ｒは、△印６６に示す１５０ｎｍから、□印６７に示す２５０ｎｍとなる。
【００６８】
また、本実施の形態では、第１の基板１を下側として、反射板１４を下偏光板１１の外側に設けたが、第２の基板９を下側として、上偏光板１２の外側に反射板１４を設ける事も可能である。また、反射板１４を取り除き、バックライトを備えることで、透過型の液晶表示装置とすることも、もちろん可能である。
【００６９】
また、本実施の形態では、位相差板１３を、第２の基板と上偏光板１２との間に設けたが、第１の基板１と下偏光板１１の間に設けることも可能である。また、複数の位相差板を配置しても同様な効果が得られることは明白である。
【００７０】
また、本実施の形態では、第２の基板９には、配向膜１０しか設けなかったが、薄膜トランジスタを光から保護するために、非晶質シリコン４の上部に、クロム等の金属や、黒色顔料インクでブラックマトリクスを設ける事も可能である。
【００７１】
また、本実施の形態で使用する液晶１５は、誘電異方性Δεが正の材料を採用したが、誘電異方性Δεが負の材料も使用可能である。その場合、電圧無印加での液晶の位置が点線１６になるように、走査電極３とほぼ平行にラビング処理を行う。画素電極５と対向電極６に電圧を印加すると、画素電極と平行になる方向に液晶分子は回転する。
【００７２】
また、本実施の形態では、各画素に、薄膜トランジスタを設けたアクティブマトリクス駆動の場合について説明したが、薄膜トランジスタの替わりに、薄膜ダイオ−ドを使用することや、画素電極５を直接外部に引き出しスタティック駆動することも可能である。
【００７３】
（第３の実施の形態）
次に、本発明の第３の実施の形態における液晶表示装置の構成は、上下偏光板の交差角度と、液晶セルのΔｎｄと位相差板の位相差値Ｒが異なる事を除けば、図１と図２に示した第１の実施の形態と同一構成である。
【００７４】
図７は、本発明の第３の実施の形態の配置関係を説明するための平面図である。以下、図１と図２と図７を用いて、第３の実施の形態の構成を説明する。
【００７５】
第１の基板１の外側には、下偏光板１１と反射板１４を接着し、第２の基板９の外側には、位相差板１３と上偏光板１２を配置する。本実施の形態では、下偏光板１１と反射板１４は、日東電工製の反射板一体型偏光板Ｆ３２０５Ｇを用い、上偏光板１２には、同じく日東電工製のＥＧ１２２５ＤＵを用いた。
【００７６】
位相差板１３には、日東電工製で位相差値Ｒ＝３８０ｎｍのＮＲＺ位相差板を用いた。この位相差板は、延伸方向の屈折率をｎｘ、延伸方向と９０度方向の屈折率をｎｙ、厚さ方向の屈折率をｎｚとしたとき、ｎｘ＞ｎｚ＞ｎｙとなっている。Ｎｚ＝（ｎｘ−ｎｚ）／（ｎｘ−ｎｙ）で定義すると、Ｎｚ＝０．４であった。
【００７７】
位相差板１３としては、通常のｎｘ＞ｎｙ＝ｎｚで、Ｎｚ＝１の位相差板でも使用可能であるが、左右方向に傾けて見た場合の色変化が発生する。さらに視角特性を改善するために、Ｎｚ＝０．５に近い、前記のＮＲＺ位相差板を採用した。このＮＲＺ位相差板の採用により、前後左右方向から見ても色変化のほとんど発生しない良好な視角特性の液晶表示装置を実現できる。
【００７８】
液晶材料としては、複屈折異方性Δｎが０．１で、誘電異方性Δεが正のＰ型材料を用い、第１の基板１と第２の基板９の隙間であるセルギャップｄは３．８μｍである。従って、液晶セルの複屈折性を示すΔｎｄ＝３８０ｎｍである。
電圧無印加状態での液晶分子１５の長軸方向は、ほぼ画素電極５と平行に配向しており、画素電極５と対向電極６の間に電圧を印加すると、電圧に従い矢印１７の方向に回転し、点線で示した液晶分子１６に至る。ここで、電圧印加時の逆回りを避けるために、電圧無印加状態の液晶分子１５の長軸方向は、数度程右回りに設定してある。
【００７９】
下偏光板１１の偏光軸は、液晶分子１５の長軸方向と約４５度の角度をなすように配置され、上偏光板１２の偏光軸は、下偏光板１１の偏光軸とほぼ平行に配置する。位相差板１３の延伸軸は、液晶分子１５の長軸方向と約９０度の角度をなすように配置する。
【００８０】
本発明の第３の実施の形態における、液晶表示装置の色表示特性を図８に示す。図８は、ＣＩＥによる色度図である。電圧無印加では、液晶分子１５の長軸方向は、位相差板１３の延伸方向と９０度ずれた方向にあるので、位相差板の位相差値Ｒ＝３８０ｎｍと液晶のΔｎｄ＝３８０ｎｍが減算され、液晶表示装置の位相差値ｒ＝０ｎｍとなる。上下偏光板がほぼ平行に配置されているので、入射光はそのまま透過し、○印２６の白表示となる。
【００８１】
液晶セルに電圧を印加すると、液晶分子１５は矢印１７方向に回転し、ちょうど４５度回転した状態では、上偏光板１２の偏光軸と９０度ずれた方向になり、液晶分子による位相差は発生せず、液晶表示装置の位相差値ｒは、位相差板１３の位相差値Ｒのみで、ｒ＝３８０ｎｍとなり、○印２７で示す青表示となる。
【００８２】
さらに、液晶セルの印加電圧を大きくすると、液晶分子は点線１６で示す位置まで回転し、位相差板の延伸方向と平行になるので、位相差板の位相差値Ｒ＝３８０ｎｍと液晶のΔｎｄ＝３８０ｎｍが加算され、液晶表示装置の位相差値ｒ＝７６０ｎｍとなり、○印２８で示すピンク表示となる。従って、印加電圧の変化により、白→青→ピンクのカラ−表示が可能である。
【００８３】
液晶分子１５は、第１の基板１とほぼ平行なまま回転するので、視角による位相差値の変化が少ないので、視角による色変化が少ない。さらに、本実施の形態では、Ｎｚ＝０．４の位相差板１３を採用したので、位相差板１３の視角特性も良好であるため、非常に広い範囲で色変化の少ない、視角特性の良好な複屈折型カラー液晶表示装置を実現できる。
【００８４】
本発明の第３の実施の形態でも、画素数は６４０×４８０で、画素ピッチは横方向（信号電極２の間隔）は２００μｍ、縦方向（走査電極３の間隔）は２００μｍの６．３型の反射型カラー液晶表示装置を作成する。対向電極６と画素電極５の線幅は１０μｍで、信号電極２と走査電極３の線幅は２０μｍで、信号電極２と画素電極５との間隔は１０μｍ、信号電極２と対向電極６との間隔は１０μｍとすることで、表示部となる画素電極５と対向電極６との間隔は１４０μｍとなり、約５５％と高い開口率を確保できる。
【００８５】
以上に示したような構成を採用することによって、明るく、視角特性の良好な複屈折方式カラー液晶表示装置を実現でき、中〜大型の反射型カラー表示装置を提供できる。
【００８６】
なお、本実施の形態では、液晶セルのΔｎｄ＝３８０ｎｍ、位相差板１３の位相差値Ｒ＝３８０ｎｍに設定したが、第３の実施の形態において、ΔｎｄやＲをずらした場合の色変化を示す色度図を図１３に示す。○印２７に示す青表示は、液晶セルのΔｎｄに無関係で、位相差板の位相差値Ｒのみで決まる。Ｒを増加させると、矢印７１に示す様に水色表示となり、Ｒを減少させると矢印７０に示す様に暗い青表示となる。ここで、上下偏光板の交差角度が第２の実施の形態と異なり平行であるので、色変化は逆に動く。従って、Ｒ＝３５０ｎｍの場合は□印７７の紺系の青色で、Ｒ＝４５０ｎｍの場合は△印７６の水色になるが、青として表示は可能である。
【００８７】
位相差板１３の位相差値Ｒ＝３８０ｎｍに固定し、液晶セルのΔｎｄを増加させた場合の○印２８に示すピンクの色変化を矢印７２に示す。液晶表示装置の位相差値ｒは、位相差板の位相差値Ｒと液晶セルのΔｎｄの和であるため、Δｎｄの増加と共にｒも増加し青紫となる。逆に、Δｎｄが減少するとｒも減少するので、矢印７３に示す黄色表示となり、大きな色変化が発生する。ここで、上下偏光板の交差角度が第１の実施の形態と異なり平行であるので、色変化は逆に動く。つまり、ｒ＝Δｎｄ＋Ｒ＝７５０〜８００ｎｍの場合が最適であり、Ｒ＝３５０〜４５０ｎｍであるので、Δｎｄ＝３５０〜４５０ｎｍの範囲で使用可能である。
【００８８】
一方、○印２６に示す白表示は、液晶表示装置の位相差値ｒ＝Ｒ−Δｎｄ＝０の場合が最も好ましく、つまり、位相差板の位相差値Ｒと液晶セルのΔｎｄが等しくなる。ＲまたはΔｎｄがずれると、液晶表示装置のｒは、正負は関係ないので、｜ｒ｜＞０となり、矢印７４に示すように、黄色くなる。目視観察結果では、｜ｒ｜＜１００ｎｍの範囲では、使用可能であるので、Ｒ＝３５０〜４５０ｎｍ、Δｎｄ＝３５０〜４５０ｎｍの範囲で問題ない。
【００８９】
また、本実施の形態では、第１の基板１を下側として、反射板１４を下偏光板１１の外側に設けたが、第２の基板９を下側として、上偏光板１２の外側に反射板１４を設ける事も可能である。また、反射板１４を取り除き、バックライトを備えることで、透過型の液晶表示装置とすることも、もちろん可能である。
【００９０】
また、本実施の形態では、位相差板１３を、第２の基板と上偏光板１２との間に設けたが、第１の基板１と下偏光板１１の間に設けることも可能である。また、複数の位相差板を配置しても同様な効果が得られることは明白である。
【００９１】
また、本実施の形態では、第２の基板９には、配向膜１０しか設けなかったが、薄膜トランジスタを光から保護するために、非晶質シリコン４の上部に、クロム等の金属や、黒色顔料インクでブラックマトリクスを設ける事も可能である。
【００９２】
また、本実施の形態で使用する液晶１５は、誘電異方性Δεが正の材料を採用したが、誘電異方性Δεが負の材料も使用可能である。その場合、電圧無印加での液晶の位置が点線１６になるように、走査電極３とほぼ平行にラビング処理を行う。画素電極５と対向電極６に電圧を印加すると、画素電極と平行になる方向に液晶分子は回転する。
【００９３】
また、本実施の形態では、各画素に、薄膜トランジスタを設けたアクティブマトリクス駆動の場合について説明したが、薄膜トランジスタの替わりに、薄膜ダイオ−ドを使用することや、画素電極５を直接外部に引き出しスタティック駆動することも可能である。
【００９４】
【発明の効果】
以上の説明から明らかなように本発明によれば、櫛歯電極を用いる表示装置に位相差板を組み合わせ、液晶セルのΔｎｄと位相差板の位相差値Ｒを最適化することで、視角特性の良好な複屈折方式のカラ−液晶表示装置を実現できる。
【００９５】
また、本発明の液晶表示装置により、明るく、かつ、視角特性が良好であるので、中〜大型の反射型カラ−液晶表示装置を提供できる。
【図面の簡単な説明】
【図１】本発明の実施の形態における液晶表示装置の構成を説明する図であって、図２のＡ−Ａ断面形状を示す模式拡大図である。
【図２】本発明の実施の形態における液晶表示装置の平面形状を示す模式拡大図である。
【図３】本発明の第１の実施の形態における液晶表示装置の配置関係を説明するための平面図である。
【図４】本発明の第１の実施の形態における液晶表示装置の表示色を示す色度図である。
【図５】本発明の第２の実施の形態における液晶表示装置の配置関係を説明するための平面図である。
【図６】本発明の第２の実施の形態における液晶表示装置の表示色を示す色度図である。
【図７】本発明の第３の実施の形態における液晶表示装置の配置関係を説明するための平面図である。
【図８】本発明の第３の実施の形態における液晶表示装置の表示色を示す色度図である。
【図９】本発明の第１実施の形態で使用する位相差板の視角特性を示す図である。
【図１０】従来例における櫛歯型電極を用いる液晶表示装置の一部領域の平面形状を示す模式拡大図である。
【図１１】本発明の第１の実施の形態における液晶表示装置の色変化を示す色度図である。
【図１２】本発明の第２の実施の形態における液晶表示装置の色変化を示す色度図である。
【図１３】本発明の第３の実施の形態における液晶表示装置の色変化を示す色度図である。
【符号の説明】
１    第１の基板
２    信号電極
３    走査電極
４    非晶質シリコン
５    画素電極
６    対向電極
９    第２の基板
１１  下偏光板（偏光軸）
１２  上偏光板（偏光軸）
１３  位相差板（延伸軸）
１４  反射板
１５  液晶分子
【図１】
0003939795.tif 000002
【図２】
0003939795.tif 000003
【図３】
0003939795.tif 000004
【図４】
0003939795.tif 000005
【図５】
0003939795.tif 000006
【図６】
0003939795.tif 000007
【図７】
0003939795.tif 000008
【図８】
0003939795.tif 000009
【図９】
0003939795.tif 000010
【図１０】
0003939795.tif 000011
【図１１】
0003939795.tif 000012
【図１２】
0003939795.tif 000013
【図１３】
0003939795.tif 000014